(57)【要約】【課題】蓄冷・蓄熱効果を高めて長時間の使用に耐え得る蓄冷・蓄熱材を提供すること。【解決手段】蓄冷・蓄熱剤３中に複数の種子４を５〜１５ｗｔ％の割合で混在させて蓄冷・蓄熱材１を構成する。ここで、前記蓄冷・蓄熱剤３を、セルロースやデンプン等の天然高分子材に放射線を照射して得られる生分解性ハイドロゲルで構成し、前記種子４をサクランボ又はブルーベリーの種とする。  本発明者等の実験によれば、蓄冷・蓄熱剤中に複数の種子（内部に密閉された空気層を有する種子）を５〜１５ｗｔ％の割合で混在させれば、蓄冷・蓄熱材の蓄冷・蓄熱効果が高められることが確認された。従って、本発明によれば、蓄冷・蓄熱材の蓄冷・蓄熱効果を高めて該蓄冷・蓄熱材を長時間に亘って使用することができる。【選択図】図２
2005220183.tif 000002
【特許請求の範囲】
【請求項１】
蓄冷・蓄熱剤中に複数の種子を５〜１５ｗｔ％の割合で混在させて成ることを特徴とする蓄冷・蓄熱材。
【請求項２】
前記蓄冷・蓄熱剤を、セルロースやデンプン等の天然高分子材に放射線を照射して得られる生分解性ハイドロゲルで構成したことを特徴とする請求項１記載の蓄冷・蓄熱材。
【請求項３】
前記種子は、サクランボ又はブルーベリーの種であることを特徴とする請求項１又は２記載の蓄冷・蓄熱材。
【発明の詳細な説明】
【技術分野】
【０００１】
本発明は、蓄冷・蓄熱効果を高めた蓄冷・蓄熱材に関する。
【背景技術】
【０００２】
医療や食品搬送分野で利用されている蓄冷・蓄熱材は、ナイロン袋やプラスチック容器内に蓄冷・蓄熱剤を充填して構成されているが、蓄冷・蓄熱剤には化学合成品が使用されていたため、医療や食品搬送分野での使用には安全性の面から問題があった。
【０００３】
そこで、近年、蓄冷・蓄熱剤として天然素材を用いた生分解性ハイドロゲルが開発され、実用に供されている（特許文献１参照）。この生分解性ハイドロゲルは、植物から得られるセルロースやデンプン等の高分子材に放射線を照射することによって分子鎖の一部を破壊し、特定機能を有する分子を再結合する橋架け反応を利用したものであって、天然素材を用いるために無害であり、微生物によって分解されることから、地球環境に負荷を与えることがないという利点を有している。
【０００４】
【特許文献１】特開２００３−３１３２１４号公報
【発明の開示】
【発明が解決しようとする課題】
【０００５】
ところで、サクランボの種は、内部に密閉された空気層を有し、この空気層が熱を蓄える作用を果たすため、従来から保温材として使用されている。
【０００６】
従って、保温効果の高いサクランボの種等の種子を蓄冷・蓄熱剤中に混在させれば、蓄冷・蓄熱材の蓄冷・蓄熱効果が高められることが予想される。
【０００７】
本発明は上記に着眼してなされたもので、その目的とする処は、蓄冷・蓄熱効果を高めて長時間の使用に耐え得る蓄冷・蓄熱材を提供することにある。
【課題を解決するための手段】
【０００８】
上記目的を達成するため、請求項１記載の発明は、蓄冷・蓄熱剤中に複数の種子を５〜１５ｗｔ％の割合で混在させて蓄冷・蓄熱材を構成したことを特徴とする。
【０００９】
請求項２記載の発明は、請求項１記載の発明において、前記蓄冷・蓄熱剤を、セルロースやデンプン等の天然高分子材に放射線を照射して得られる生分解性ハイドロゲルで構成したことを特徴とする。
【００１０】
請求項３記載の発明は、請求項１又は２記載の発明において、前記種子は、サクランボ又はブルーベリーの種であることを特徴とする。
【発明の効果】
【００１１】
本発明者等の実験によれば、蓄冷・蓄熱剤中に複数の種子（内部に密閉された空気層を有する種子）を５〜１５ｗｔ％の割合で混在させれば、蓄冷・蓄熱材の蓄冷・蓄熱効果が高められることが確認された。
【００１２】
従って、請求項１記載の発明によれば、蓄冷・蓄熱材の蓄冷・蓄熱効果を高めて該蓄冷・蓄熱材を長時間に亘って使用することができる。
【００１３】
請求項２記載の発明によれば、セルロースやデンプン等の天然高分子材に放射線を照射して得られる生分解性ハイドロゲルで構成された蓄冷・蓄熱剤は、天然素材を用いるために無害であり、特に安全が重視される医療や食品搬送分野等にも使用され得る。又、天然素材を用いた蓄冷・蓄熱剤は、微生物によって分解されるため、地球環境を汚染することがない。
【００１４】
請求項３記載の発明によれば、蓄冷・蓄熱剤中に混入される種子として、天然のサクランボ又はブルーベリーの種を使用するため、蓄冷・蓄熱材を医療や食品搬送分野等にも使用することができるとともに、蓄冷・蓄熱材が地球環境に負荷を与えることがない。
【発明を実施するための最良の形態】
【００１５】
以下に本発明の実施の形態を添付図面に基づいて説明する。
【００１６】
図１は本発明に係る蓄冷・蓄熱材の正面図、図２は同蓄冷・蓄熱材の破断側面図、図３は同蓄冷・蓄熱材の平面図である。
【００１７】
図１〜図３に示す蓄冷・蓄熱材１は、図２に示すように、扁平なプラスチック製の矩形板状容器２内に蓄冷・蓄熱剤３を充填し、この蓄冷・蓄熱剤３中に複数のサクランボの種４を５〜１５ｗｔ％の割合で混在せしめて構成されている。
【００１８】
ここで、前記容器２の上面中央には充填口５が開口しており（図３参照）、前記蓄冷・蓄熱剤３とサクランボの種４は充填口５から容器２内に投入され、これらが投入された後には充填口５がプラスチック製のキャップ６（図１参照）によって閉じられる。尚、容器２の下部には把手用長孔７が貫設されている。
【００１９】
ところで、容器２内に充填された前記蓄冷・蓄熱剤３は、セルロースやデンプン等の天然高分子材に放射線を照射して得られる生分解性ハイドロゲルで構成されている。
【００２０】
而して、本発明者等の実験によれば、蓄冷・蓄熱剤中に複数の種子（内部に密閉された空気層を有する種子）を５〜１５ｗｔ％の割合で混在させれば、蓄冷・蓄熱材の蓄冷・蓄熱効果が高められることが確認された。
【００２１】
ここで、本発明者等が行った実験について説明する。
【００２２】
実験に際しては、下記３種の蓄冷・蓄熱材を準備した。
【００２３】
１）容器内に蓄冷・蓄熱剤として３００ｇの生分解性ハイドロゲルのみを充填した蓄冷・蓄熱材（蓄冷・蓄熱材Ａとする）。
【００２４】
２）生分解性ハイドロゲルに１０ｗｔ％のサクランボの種を混在させて両者の合計重量を３００ｇとした蓄冷・蓄熱材（蓄冷・蓄熱材Ｂとする）。
【００２５】
３）生分解性ハイドロゲルに２０ｗｔ％のサクランボの種を混在させて両者の合計重量を３００ｇとした蓄冷・蓄熱材（蓄冷・蓄熱材Ｃとする）。
【００２６】
上記３種の蓄冷・蓄熱材Ａ，Ｂ，Ｃの保冷効果を比較するため、これら３種の蓄冷・蓄熱材Ａ，Ｂ，Ｃを三洋電気社製のファン式冷凍庫によって−３５℃まで冷却した。そのときの各蓄冷・蓄熱材Ａ，Ｂ，Ｃの冷却温度（℃）の経時変化を図４に示すが、目標温度（−３５℃）まで冷却されるまでの時間は、蓄冷・蓄熱材Ａについては１時間３４分、蓄冷・蓄熱材Ｂについては１時間３３分、蓄冷・蓄熱材Ｃについては１時間３５分であり、三者共にほぼ同時間で目標温度（−３５℃）まで冷却されることが分かる。尚、図４において、二点鎖線は庫内温度（℃）を示す。
【００２７】
次に、−３５℃にて８時間冷却された各蓄冷・蓄熱材Ａ，Ｂ，Ｃをこれらの下にタオルを敷いた状態で常温にて解凍した。そのときの各蓄冷・蓄熱材Ａ，Ｂ，Ｃの温度（℃）の経時変化を図５に示すが、１０ｗｔ％のサクランボの種を混在させた蓄冷・蓄熱材Ｂの温度上昇が最も緩慢で、保冷効果が最も高いことが分かる。そして、次に温度上昇が緩慢で保冷効果が高いのが２０ｗｔ％のサクランボの種を混在させた蓄冷・蓄熱材Ｃであり、サクランボの種を含まない蓄冷・蓄熱材Ａが最も保冷効果が低いことが分かる。
【００２８】
又、図５に示す結果から、サクランボの種が保冷効果を高める機能を有していることが分かるが、その混在量には最適値が存在し、余り多くて２０ｗｔ％を超えると効果が低くなる。従って、サクランボの種の混在量の最適値としては、１０±５ｗｔ％程度が考えられる。尚、図５において、二点鎖線は外気温（℃）を示す。
【００２９】
次に、３種の蓄冷・蓄熱材Ａ，Ｂ，Ｃの保冷効果を比較するため、これら３種の蓄冷・蓄熱材Ａ，Ｂ，Ｃをそれぞれ約５０℃まで加熱し、これらを大気中に放置した。そのときの各蓄冷・蓄熱材Ａ，Ｂ，Ｃの温度（℃）の経時変化を図６に示すが、１０ｗｔ％のサクランボの種を混在させた蓄冷・蓄熱材Ｂの温度降下が最も緩慢で、保温効果が最も高いことが分かる。そして、次に温度降下が緩慢で保温効果が高いのが２０ｗｔ％のサクランボの種を混在させた蓄冷・蓄熱材Ｃであり、サクランボの種を含まない蓄冷・蓄熱材Ａが最も保温効果が低いことが分かる。尚、図６において、二点鎖線は外気温（℃）である。
【００３０】
以上のように、蓄冷・蓄熱剤に適量（５〜１５ｗｔ％）のサクランボの種を混在させると、蓄冷・蓄熱材の保冷及び保温効果が高められるが、その理由としては、サクランボの種は、内部に密閉された空気層を有し、この空気層が熱を蓄える作用を果たすためと考えられる。従って、蓄冷・蓄熱剤に混在させる種子としては、内部に密閉された空気層を有するものであればサクランボの種に限定されず、例えばブルーベリーの種等を混在させても良い。
【００３１】
以上のように、本実施の形態では、蓄冷・蓄熱剤３に適量（５〜１５ｗｔ％）のサクランボの種４を混在させたため、蓄冷・蓄熱材１の蓄冷・蓄熱効果を高めて該蓄冷・蓄熱材１を長時間に亘って使用することができる。
【００３２】
又、本実施の形態では、蓄冷・蓄熱剤３としてセルロースやデンプン等の天然高分子材に放射線を照射して得られる生分解性ハイドロゲルを使用し、該蓄冷・蓄熱剤３中に混入される種子として天然のサクランボの種４を使用したため、これらは無害であり、本発明に係る蓄冷・蓄熱材１は、特に安全が重視される医療や食品搬送分野等にも使用され得る。そして、天然素材を用いた蓄冷・蓄熱剤３及びサクランボの種４は、微生物によって分解されるため、地球環境に負荷を与えることがなく、地球環境の汚染が防がれる。
【産業上の利用可能性】
【００３３】
本発明は、医療や食品搬送分野等の他、保冷及び保温が必要なあらゆる分野に利用され得る。
【図面の簡単な説明】
【００３４】
【図１】本発明に係る蓄冷・蓄熱材の正面図である。
【図２】本発明に係る蓄冷・蓄熱材の破断側面図である。
【図３】本発明に係る蓄冷・蓄熱材の平面図である。
【図４】３種の蓄冷・蓄熱材の冷却温度の経時変化を示す図である。
【図５】所定温度に冷却された３種の蓄冷・蓄熱材の解凍時の温度の経時変化を示す図である。
【図６】所定温度に加熱された３種の蓄冷・蓄熱材の放熱時の温度の経時変化を示す図である。
【符号の説明】
【００３５】
１  蓄冷・蓄熱材
２  容器
３  蓄冷・蓄熱剤
４  サクランボの種（種子）
５  充填口
６  キャップ
７  把手用長孔
【図１】
2005220183.tif 000003
【図２】
2005220183.tif 000004
【図３】
2005220183.tif 000005
【図４】
2005220183.tif 000006
【図５】
2005220183.tif 000007
【図６】
2005220183.tif 000008